(57)【要約】本発明は、化学発光現象を利用して文字や図形などを表示することが可能な発光筆記具及びこの発光筆記具を用いた発光表示具を提供することを課題とし、発光筆記具１をそれぞれ破壊性容器２，３に密封した互いに混合することにより化学発光現象を生起する蛍光液２１と酸化液３１と、破壊性容器２，３から取り出した蛍光液２１と酸化液３１とを混合状態で収容する棒状で柄を兼ねる筒状容器４と、筒状容器４の先部に液密に且つ筒状容器４と連通して装着される塗布部５とからなる構成とした。更に、発光筆記具１を用いた発光表示具８は、生起した化学発光液の塗布が可能な表示シート６と、表示シート６の少なくとも表面を覆う透光性を有するとともに通気遮断性を有する被覆シート７とからなることを特徴とする。
2007052848.tif 000002
【特許請求の範囲】
【請求項１】
それぞれ破壊性容器に密封した互いに混合することにより化学発光現象を生起する蛍光液と酸化液と、前記破壊性容器から取り出した蛍光液と酸化液とを混合状態で収容する棒状で柄を兼ねる筒状容器と、前記筒状容器の先部に液密に且つ前記筒状容器に連通して装着される塗布部とからなることを特徴とする発光筆記具。
【請求項２】
互いに混合することにより化学発光現象を生起する蛍光液と酸化液との一方を密封した破壊性容器およびもう一方を密封した棒状で柄を兼ねる筒状容器と、前記筒状容器の先部に液密に且つ前記筒状容器に連通して装着される塗布部とからなることを特徴とする発光筆記具。
【請求項３】
互いに混合することにより化学発光現象を生起する蛍光液と酸化液との少なくとも一方を破壊性容器に密封して互いに非接触状態で収容した少なくとも一部が可撓性を有する棒状で柄を兼ねる筒状容器と、前記筒状容器の先部に液密に且つ前記筒状容器に連通して装着される塗布部とからなることを特徴とする発光筆記具。
【請求項４】
前記破壊性容器がガラス製である請求の範囲３記載の発光筆記具。
【請求項５】
前記外側容器内の前記塗布部側の端部に前記破壊性容器における粉砕片の通過を防止するフィルタを配置した請求の範囲４記載の発光筆記具。
【請求項６】
前記蛍光液または酸化液の少なくとも一方に顔料が混入されている請求の範囲１，２，３，４または５記載の発光筆記具。
【請求項７】
前記蛍光液または酸化液の少なくとも一方に粘性剤が混入されている請求の範囲１，２，３，４，５または６記載の発光筆記具。
【請求項８】
前記塗布部が、ドーム形の先端部のほぼ中央位置に小孔が貫通形成されているとともに内部に連続気泡を有する発泡体が少なくとも前記小孔部分に密接して充填された断面ほぼＵ字形の筒体により形成されている請求の範囲１，２，３，４，５，６または７記載の発光筆記具。
【請求項９】
前記塗布部が、フェルトペンである請求の範囲１，２，３，４，５，６または７記載の発光筆記具。
【請求項１０】
前記塗布部が筆である請求の範囲１，２，３，４，５，６または７記載の発光筆記具。
【請求項１１】
前記筒状容器と前記塗布部とが別体であるとともに互いに液密に接続可能である請求の範囲１，２，３，４，５，６，７，８，９または１０記載の発光筆記具。
【請求項１２】
前記請求の範囲１乃至１１記載の発光筆記具を用いた表示具であって、前記生起した化学発光液の塗布が可能な表示シートと、前記表示シートの少なくとも表面を覆う透光性を有するとともに通気遮断性を有する被覆シートとからなることを特徴とする発光筆記具を用いた発光表示具。
【請求項１３】
前記請求の範囲１乃至１１記載の発光筆記具において酸化液が触媒を含んでいないか或いは負触媒を含む発光筆記具を用いた表示具であって、前記蛍光液と酸化液との混合液の塗布が可能であるとともに触媒作用を有する表示シートとからなることを特徴とする発光筆記具を用いた発光表示具。
【請求項１４】
前記請求の範囲１乃至１１記載の発光筆記具において酸化液又は蛍光液の少なくとも−方に負触媒を含むことを特徴とする発光筆記具を用いた発光表示具。
【請求項１５】
前記請求の範囲１乃至１１記載の発光筆記具において酸化液が触媒を含んでいないか或いは負触媒を含む発光筆記具を用いた表示具であって、前記蛍光液と酸化液との混合液の塗布が可能である表示シートと前記化学発光液の塗布後に前記表示シートの表面に噴霧する触媒作用を有する液体とからなることを特徴とする発光筆記具を用いた発光表示具。
【発明の詳細な説明】
【技術分野】
【０００１】
本発明は、蛍光液と酸化液とを互いに混合することにより生起する化学発光現象を利用した発光筆記具及び発光筆記具を用いた発光表示具に関するものである。
【背景技術】
【０００２】
従来より、蛍光液と酸化液とを互いに混合することにより生起する化学発光現象を利用した発光具が知られており、一定期間に限り発光するものであるが、電源が不要で簡易に且つ安全な発光を得ることができることから例えば玩具、装飾品、釣具や各種の表示具として実施されている。
そして、このような化学発光現象を利用して文字や図形などを表示する表示装置が、例えば特開昭６２−２３２６８５号公報、特開２００２−２６０４１８号公報などに提示されている。
ところが、前記従来の化学発光現象を利用して文字や図形などを表示する表示装置は、予め表示させる文字や図柄を呈するチューブを表示板の表面に配置しておき、これらのチューブに発光液を注入するものである。
従って、装置が表示部分や発光液の送入部など複雑で発光状態の発光液を使用することもあって手間も掛かり、高価であるばかりか、文字や図柄も予め定められたものに限定され、更に使用後の処理も面倒であるなどの問題がある。
【発明の開示】
【０００３】
本発明は前記の実情に鑑みてなされたものであり、きわめて容易に化学発光現象を利用して文字や図形などを表示することが可能な発光筆記具及びこの発光筆記具を用いた発光表示具を提供することを課題とする。
前記課題を解決するために、第１の発明である発光筆記具は、それぞれ破壊性容器に密封した互いに混合することにより化学発光現象を生起する蛍光液と酸化液と、前記破壊性容器から取り出した蛍光液と酸化液とを混合状態で収容する棒状で柄を兼ねる筒状容器と、前記筒状容器の先部に液密に且つ前記筒状容器と連通して装着される塗布部とからなるもの、第２の発明である発光筆記具は、互いに混合することにより化学発光現象を生起する蛍光液と酸化液との一方を密封した破壊性容器およびもう一方を密封した棒状で柄を兼ねる筒状容器と、前記筒状容器の先部に液密に且つ前記筒状容器と連通して装着される塗布部とからなるもの、第３の発明である発光筆記具は、互いに混合することにより化学発光現象を生起する蛍光液と酸化液との少なくとも一方を破壊性容器に密封して互いに非接触状態で収容した棒状で柄を兼ねる筒状容器と、前記筒状容器の先部に液密に且つ前記筒状容器と連通して装着される塗布部とからなるもの、また、前記第３の発明である発光筆記具において、破壊性容器がガラス製であるとともに、前記筒状容器は少なくとも一部が屈曲可能で屈曲させたときに前記破壊性容器が破壊して前記蛍光液と酸化液とが混合して化学発光現象を生起するもの、更に、前記外側容器内の前記塗布部側の端部に前記破壊性容器における粉砕片の通過を防止するフィルタを配置した構成を有する。
また、前記各発明である発光筆記具において、前記蛍光液または酸化液の少なくとも一方に顔料が混入されている構成、前記蛍光液または酸化液の少なくとも一方に粘性剤が混入されている構成、前記塗布部が、ドーム形の先端部のほぼ中央位置に小孔が貫通形成されているとともに内部に連続気泡を有する発泡体が少なくとも前記小孔部分に密接して充填された断面ほぼＵ字形の筒体により形成されている構成、前記塗布部が筆やフェルトペンである構成、前記筒状容器と前記塗布部とが別体であるとともに互いに液密に且つ連通して接続可能である構成を有する。
更に、本発明である発光筆記具を用いた発光表示具は、前記各発明である発光筆記具を用いた表示具であって、前記生起した化学発光液の塗布が可能な表示シートと、前記表示シートの少なくとも表面を覆う透光性を有するとともに通気遮断性を有する被覆シートとからなることを特徴とし、更にまた、蛍光液が触媒を含んでいない発光筆記具を用いた表示具であって、前記蛍光液と酸化液との混合液の塗布が可能であるとともに触媒作用を有する表示シートとからなることを特徴とする。
尚、本説明において表示シートの語は薄いシート体をいう場合は勿論のこと、表面に本発明である表示具により化学発光液により文字や図柄を塗布できる表示シートを一体又は別体に有するものであればよく、例えば板状のものや円柱状のものなど形状は問わない。
本発明によると、きわめて容易に化学発光現象を利用して文字や図形などを表示することが可能な発光筆記具及びこの発光筆記具を用いた発光表示具を提供することができる。
【図面の簡単な説明】
【０００４】
第１図は、第１発明における発光筆記具についての好ましい実施形態を示すものであり、（ａ）は使用前の縦断面図、（ｂ）は使用状態を示す説明図、（ｃ）は更に表示シートに塗布する状態を示す説明図である。
第２図は、第２発明における発光筆記具についての好ましい実施形態を示すものであり、（ａ）は使用前の縦断面図、（ｂ）は使用の一過程を示す説明図である。
第３図は、第３発明における発光筆記具についての実施形態を示す縦断面である。
第４図は、第３発明における発光筆記具についての異なる実施形態を示す縦断面である。
第５図は、第３発明における発光筆記具についての更に異なる実施形態を示す縦断面である。
第６図は、第３発明における発光筆記具についての別の実施形態を示す縦断面である。
第７図は、第３発明における発光筆記具についての更に別の実施形態を示すものであり、（ａ）は使用直前の縦断面図、（ｂ）は使用時の縦断面図である。
第８図は、第３発明における異なる実施形態を使用状態の説明図とともに示す縦断面図である。
第９図は、本発明における発光筆記具についての別の実施形態を示すもので、（ａ）は側面図、（ｂ）は使用前の縦断面図である。
第１０図は、第３発明における塗布部が異なる発光筆記具についての実施形態を示す側面図である。
【発明を実施するための最良の形態】
【０００５】
次に、図面を参照して本発明の実施形態を説明する。第１図は第１の発明の好ましい実施形態の一例を示すものであり、発光筆記具１は、第１図（ａ）に示すように、それぞれ例えば適宜の塑性を有する硬質剛性樹脂製の破壊性容器２及び３に密封した互いに混合することにより化学発光現象を生起する蛍光液２１と酸化液３１と、前記破壊性容器２及び３から取り出した蛍光液２１と酸化液３１とを混合状態で収容する棒状で柄を兼ねる筒状容器４と、前記筒状容器４の先部に液密に装着される例えば毛管状の繊維束等（例えばフェルトや適宜硬質の連続気泡のスポンジなど）からなる塗布部５とから構成される。
本実施形態を使用するには、第１図（ｂ）に示すように、破壊性容器２及び３の先端に形成した首部をそれぞれ破壊して開口し、内部に充填されている蛍光液２１と酸化液３１とを塗布部５を下位として立設させた筒状容器４の頂部に被蓋させた蓋体４１を取り外して開口４２から収容部４３にそれぞれ投入・混合し化学発光現象を生起する。
次いで、第１図（ｃ）に示すように、蓋体４１を被せるとともに塗布部５を例えば適宜の吸湿性を有する画用紙や濾紙のような表示シート６に当接させた状態で移動させて所望の文字や図柄などを描くことにより、収容部４３に収容される発光状態の化学発光液２３を塗布すれば塗布した部分が発光する表示シート６を作成することができる。
尚、本実施形態では化学発光液２３が発光状態にあれば使用可能であり、例えば塗布部５に蓋をして（図示せず）保管することも可能であり、特に、低温保管することで化学発光現象を抑制しておけば長時間の保管も可能である。
また、本実施形態は、互いに混合することにより化学発光現象を生起する蛍光液２１と酸化液３１とを適宜の塑性を有する硬質剛性樹脂製の破壊性容器２及び３にそれぞれ密封したので保管中に互いに混合する心配がない。殊に本実施形態では両破壊性容器２及び３とを容易に破断可能な連結帯３２により互いに連結して一体として構成であり、保管や使用時に別々にならないのできわめて便利で使い勝手がよい。更に、例えば第１図（ｂ）に仮想線で示すように、両破壊性容器２及び３とを前記両容器２及び３の注口が互いに接近するように連結帯３２により互いに連結して一体とした場合には敢えて連結体３２を破断する手間が省ける。
更に、前記蛍光液２１または酸化液３１の少なくとも一方に従来周知の顔料が混入されている場合には、前記表示シート６に表示した文字や絵柄などが明所においても視認することが可能であり、例えば日が暮れる前に表示したとしても顔料で描いた文字や図柄として表記可能であるとともに、そのまま夜間になると発光した状態で視認することができる。更に、夜間において照明を点灯しあるいは消灯させたいずれの場合も視認することができる。
更にまた、前記蛍光液２１または酸化液３１の少なくとも一方に粘性剤が混入されている場合には、表示シート６に塗布される化学発光液２３が流れたり滲んだりする心配がなく、文字や図柄の表示が明確になるばかりか化学発光液２３を比較的厚く塗布することも可能となり、充分な発光状態を確保することが可能となる。
尚、本実施形態では蛍光液ならびに酸化液として従来用いられている各種の組成のものを用いることが可能であるが、例えば、蛍光液として溶媒〔アセチルクエン酸トリブチル８０％、安息香酸ベンジル２０％〕、シュウ酸エステルとして（ＣＰＰＯ）０．１２３Ｍ、蛍光物質としてＢＬＵＥ  ２−ｃＢＥＰＡ  ２．４５ｍＭを、酸化液としては、溶媒〔クエン酸トリエチル８０％、エタノール２０％〕、過酸化水素３％、メタンスルホン酸０．００５〜０．０１％の組成のものを用いると、酸化液に配合したメタンスルホン酸が蛍光液と酸化液との化学発光現象の負触媒としての機能を発揮して急激な発光反応を防止するので第１図（ｃ）に示す状態で蛍光液と酸化液との化学発光現象を生起させる際に生じる炭酸ガスによる容器内ガスの膨張を抑制するので容器内ガスの膨張によって化学発光液２３が塗布部５から滲み出る現象を防止することができる。
尚、本実施形態では負触媒としてメタンスルホン酸を酸化液に含ませたが、負触媒はメタンスルホン酸に限るものでなく、また、必ずしも酸化液に含ませる場合に限らず蛍光液に含ませる場合或いは酸化液と蛍光液とに分けて両者に含ませることも可能であり、負触媒、酸化液および蛍光液の種類や製品の用途や保管期間などに応じて適宜選択すればよい。
また、前記負触媒を配合する場合に表示シート６に塗布される化学発光液２３の反応が抑制されることにより発光現象が遅延して迅速な発光現象を得ることができない場合には、表示シート６の素材を化学発光液２３が活性化されるような例えば濾紙のような接触触媒作用を発揮する粗目の構造にする手段、或いは、予め表示シート６に正触媒を含浸させておく手段、更には、塗布後に正触媒を噴霧器や加圧気体により噴霧（散布）することにより（図示せず）活性化し、化学発光反応を促進させることもできる。
加えて、図（ｃ）に仮想線で示すように、化学発光を生起させた化学発光液２３を塗布した表示シート６の表面を例えば塩化ビニリデンのような透光性を有するとともに通気遮断性を有する被覆シート７で被覆する場合には、塗布した化学発光液２３の蒸発を防ぐことから発光時間の延長が可能であるばかりか、表示シート６の表面に塗布した化学発光液２３を遮断するので例えば屋外で使用した場合には風雨に対する耐久性を増し、また、表面に塗布した化学発光液２３が被覆シート７で保護されるので化学発光液２３が直接人体や衣服などに付着することがなく、表示シー６トをテーブルの上などに載置することができ、更に、菓子や料理などを一緒に配置しても安全である。
尚、本実施形態では、被覆シート７は表示シート６における化学発光液２３を塗布した表面だけを被覆するものとしたが、表示シート６の裏面についても通気遮断性を付与すると（図示せず）、前記被覆シート７の効果が増強される。
このように、本発明は発光筆記具１として単独で商品価値を有するが、発光筆記具１と表示シート６、更には被覆シート７を組み合わせた発光具８として構成し、販売等してもよい。
第２図は、第２の発明である発光筆記具の実施形態の一例を示すものであり、発光筆記具１は、第２図（ａ）に示すように、例えば蛍光液２１（または酸化液３１）を密封状態で収容する棒状で先部に蓋体４４が被冠された塗布部５が液密に装着されている筆記具としての柄を兼ねる筒状容器４と、酸化液３１（または蛍光液２１）を密封状態で収容した適宜の塑性を有する硬質剛性樹脂製の破壊性容器２とから構成される。
本実施形態を使用するには、第２図（ｂ）に示すように、破壊性容器３の先端に形成した首部を破壊して開口し、内部に充填されている酸化液３１（または蛍光液２１）を塗布部５を下位として立設させた筒状容器４の頂部に被蓋させた蓋体４１を取り外して開口４２から収容部４３に投入して蛍光液２１（または酸化液３１）と混合し化学発光現象を生起する。
その後の使用方法、作用・効果などについては前記第１図に示した筆記具とほぼ同様であるが、前記第１図に示した実施例と異なり、酸化液３１（または蛍光液２１）を筒状容器４内に収容した構成としたことにより、別体である破壊性容器３が１つで済み更に連結部３２も要しないことから製造が容易で全体としての体積占有率も低いので包装や保管場所をとらず流通効率がよいとともに、特に、１つだけ破壊性容器３を破壊すればよく、操作も簡単である。
また、第３図乃至第６図は、第３の発明である発光筆記具１を示すものであり、第３図に示すものは、互いに混合することにより化学発光現象を生起する蛍光液２１（または酸化液３１）を例えばガラス製の破壊性容器２に密封して酸化液３１（または蛍光液２１）とを互いに非接触状態で棒状で柄を兼ねる筒状容器４に収容したものであり、使用に当たっては筒状容器４の一部を撓ませ或いは屈曲させて内部に収容してある破壊性容器２を破壊し、破壊性容器２に収容してある蛍光液２１（または酸化液３１）と筒状容器４内に収容している酸化液３１（または蛍光液２１）とを接触・混合させて発光現象を生起させる。
その後の使用方法や作用・効果は前記第１図または第２図に示した実施形態とほぼ同様であるが、本実施形態は筒状容器４内に蛍光液２１と酸化液３１とを収容しているので更に収容並びに保管能力に優れている。
尚、本実施形態では、塗布部５は押出し式の弁構造を有するフェルト式であり所望量の蛍光液を取り出すことができるのできわめて使い勝手がよい、また、本実施形態では前記外側容器４内の塗布部５側の端部に破壊性容器２における粉砕片の通過を防止するフィルタ４６を配置したので、破壊性容器２の粉砕片が塗布部５に詰まったり、外部に流出する心配がない。
更に、第４図は互いに混合することにより化学発光現象を生起する蛍光液２１と酸化液３１とを破壊性容器２，３に密封して棒状で柄を兼ねる筒状容器４に収容したもので、蛍光液２１と酸化液３１とをそれぞれ密封したことにより、例え一方の破壊性容器２（または３）が事前に破損しても発光現象が生起しない。
第５図は互いに混合することにより化学発光現象を生起する蛍光液２１（または酸化液３１）を密封した破壊性容器２を酸化液３１（または蛍光液２１）を密封した破壊性容器３内に収容したもの、第６図は第３図に示した実施形態と同じく互いに混合することにより化学発光現象を生起する蛍光液２１（または酸化液３１）を例えばガラス製の破壊性容器２に密封して酸化液３１（または蛍光液２１）とを互いに非接触状態でステック状で柄を兼ねる筒状容器４に収容したものであるが、破壊性容器２が円筒状の硬質合成樹脂容器の表面に破壊用の複数の円周溝２ａ，２ａを形成したものであり、筒状容器４を介して破壊性容器２を折り曲げることにより破壊性容器２が円周溝２ａ，２ａの部分で拡開して蛍光液２１（または酸化液３１）と酸化液３１（または蛍光液２１）とが混合して発光現象を生起するものである。本実施形態は破壊性容器２がガラスよりも破壊しにくく安定な硬質合成樹脂により形成されているので移送や保管性に優れている。尚、破壊性容器２における破壊用の円周溝２ａ，２ａは、溝切り用のカッター状の刃先を外周面に当接させた状態で刃先か破壊性容器を回転させることにより簡単に形成することができる（図示せず）。
第７図は前記第３図に示した実施形態とほぼ同様であるが、柄を兼ねる筒状容器４が塗布部５と別体に形成されて差込式となっている点が異なり、本実施形態によれば、化学発光液を収容する筒状容器４と塗布部５とを別体にしたことにより、所望の筒状容器４と塗布部５とを適宜組み合わせて使用することができることから、例えば、筒状容器４毎に異なる塗布部５を選択することができるので使用者の好みに合わせて所望のものを形成することができるとともに、塗布部５は繰り返して使用することができ経済面でも優れている。
更に、第８図は塗布部５が異なる実施形態を示すものであり、筒状容器４については前記第３図ならびに第７図に示した実施形態と同様に、互いに混合することにより化学発光現象を生起する蛍光液２１（または酸化液３１）を例えばガラス製の破壊性容器２に密封して酸化液３１（または蛍光液２１）とを互いに非接触状態で棒状で柄を兼ねる筒状容器４に収容したものであり、使用に当たっては例えばポリエチレン樹脂のような適宜の可撓性を有する筒状容器４の一部を撓ませ或いは屈曲させて内部に収容してある破壊性容器２を破壊し、破壊性容器２に収容してある蛍光液２１（または酸化液３１）と筒状容器４内に収容している酸化液３１（または蛍光液２１）とを接触・混合させて発光現象を生起させるものである。尚、本実施形態では筒状容器４は基端部が開口しており、その開口部にキャップ４１が液密に嵌挿されており、収容物を容易に挿入可能に形成されている。
特に、本実施形態は、塗布部５が、例えば前記筒状容器４と同様な適宜硬質で針などにより小孔が形成可能な素材により前記筒状容器４と別体または一体に形成され、内部には連続気泡を有する発泡体５１が内壁に密接して充填された断面ほぼＵ字形の実施形態と、前記筒体５２に被冠される内側に針５４を突出させたキャップ５３により形成されている。
即ち、本実施形態では筒状容器４は第８図（ａ）に示すように通常の保管、運搬時においては密封状態にあり長期にわたって安定した状態にあり、また、別途に付設した内部に針５４を突出させた前記筒部５１に被冠させるキャップ５３が別途に付けられている。尚、図面中符合５６は筒部５１内の発泡体５１との基端側に嵌挿されたバイブ状部材であり、後述する筒状容器４の化学発光液２３を発泡体５１に流出させるとともに発泡体５１のずれを防止する。
そして、使用に際しては第８図（ｂ）および（ｃ）に示すようにキャップ５３を筒体５２に被冠させて内部に突出させた針５４によりに筒体５２の先端に小孔５５を形成し、（第８図（ｄ）参照）、第８図（ｅ）に示すように可撓性を有する筒状容器４の一部を撓ませ或いは屈曲させて内部に収容してある破壊性容器２を破壊し、破壊性容器２に収容してある蛍光液２１（または酸化液３１）と筒状容器４内に収容している酸化液３１（または蛍光液２１）とを接触・混合させて発光現象を生起させ、前記キャップ５３を外した筒体５２を表示シート６に当てて移動させることにより筒状容器４内の化学発光液２３を先端の筒体５２に形成した小孔５５から出して表示シート６に文字や絵画など描けばよい。
このとき、本実施形態では筒体５２の内部に連続気泡の発泡体５１が充填されているので筒状容器４内の化学発光液２３を適度の流量で取り出すことが可能であるが、より多くを取り出すときにはを筒状容器４を押圧して内部の圧力を上昇させることにより所望の化学発光液２３を抽出させることができる。尚、表示シート６として吸湿性を有する濾紙や不織布を用いると描き易い。
また、本実施形態では、予め筒体５２にキャップ５３を被せて筒体５２に小孔５５を形成した状態で筒状容器４の一部を撓ませ或いは屈曲させて内部に収容してある破壊性容器２を破壊し、破壊性容器２に収容してある蛍光液２１（または酸化液３１）と筒状容器４内に収容している酸化液３１（または蛍光液２１）とを接触・混合させて発光現象を生起させたが、先に、発光現象を生起させてから前記キャップ５３を被冠させて針孔５５を形成する手順であってもよく、特に、本実施形態においては、使用後、或いは使用中であってもキャップ５１を筒体５に被冠させておけば針５４が針孔５５を塞ぐので化学発光液２３が漏れることがない。
また、第９図は前記第３図に示したものとほぼ同様であるが、筒状容器４にスポイト状の化学発光液の溜部４７が形成されている。従って、この溜部４７を押すことにより塗布部５に所望量の化学発光液を送出させることができる。
更に、第１０図は塗布部５に筆を用いた点が異なる。本実施形態によれば毛質の文字や図柄を描くことができるばかりか、一度に多量の化学発光液を塗布することもできる。
【産業上の利用可能性】
【０００６】
本発明は、蛍光液と酸化液とを互いに混合することにより生起する化学発光現象を利用して文字や図形などを表示することが可能であり、発光筆記具や発光表示具としての利用可能性がある。
【図１】
2007052848.tif 000003
【図２】
2007052848.tif 000004
【図３】
2007052848.tif 000005
【図４】
2007052848.tif 000006
【図５】
2007052848.tif 000007
【図６】
2007052848.tif 000008
【図７】
2007052848.tif 000009
【図８】
2007052848.tif 000010
【図９】
2007052848.tif 000011
【図１０】
2007052848.tif 000012
【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
（削除）
【請求項１１】
（削除）
【請求項１２】
（削除）
【請求項１３】
互いに混合することにより化学発光現象を生起する蛍光液と酸化液の少なくとも一方を破壊性容器に密封した状態で収容する棒状で柄を兼ねる液密である筒状容器の先部に液密に且つ前記筒状容器に連通して装着される塗布部とからなる発光筆記具を用いた発光具であって、前記発光筆記具における前記蛍光液と酸化液の少なくとも一方が触媒を含んでいないか、又は前記蛍光液と酸化液の少なくとも一方に負触媒を含んでいることを特徴とする発光筆記具。
【請求項１４】
前記請求の範囲１３記載の発光筆記具を用いた発光表示具であって、前記蛍光液と酸化液との混合液の塗布部による塗布が可能であるとともに前記蛍光液と酸化液とを互いに混合することにより化学発光現象を生起する反応についての触媒作用を有する表示シートとからなることを特徴とする発光筆記具を用いた発光表示具。
【請求項１５】
前記請求の範囲１３記載の発光筆記具を用いた発光表示具であって、前記蛍光液と酸化液との混合液の塗布が可能である表示シートと前記混合液の塗布後に前記表示シートの表面に噴霧する前記蛍光液と酸化液とを互いに混合することにより化学発光現象を生起する反応についての触媒作用を有する液体とからなることを特徴とする発光筆記具を用いた発光表示具。
【請求項１６】
前記請求の範囲１４または１５記載の表示シートが少なくとも表面に透光性と通気遮断性を有する被覆シートを有していることを特徴とする発光筆記具を用いた発光表示具。
【国際調査報告】
2007052848.tif 000013
2007052848.tif 000014
2007052848.tif 000015
2007052848.tif 000016